(57)【要約】【課題】既存の靴に装飾性と、新鮮な印象を付加することができる靴用アクセサリを提供する。【解決手段】踵部分が靴底から突出するタイプの靴に着脱可能な靴用アクセサリ１は、装飾要素を有し、着用者の足周りに装着される装飾ベルト部３と、装飾ベルト部３の両端に設けられる、靴の踵部分を挿通させるためのリング部５，５を備える。装飾ベルト部３は、長さ調節部材１７により長さを調節可能に構成される。【選択図】図１
0003133652.tif 000002
【実用新案登録請求の範囲】
【請求項１】
踵部分が靴底から突出するタイプの靴に着脱可能な靴用アクセサリにおいて、
靴の踵部分を挿通させるための少なくとも１つの孔部と、
前記孔部から延設され、着用者の足周りに装着される、装飾要素を有した装飾ベルト部と、を備えることを特徴とする靴用アクセサリ。
【請求項２】
請求項１に記載する靴用アクセサリにおいて、さらに前記装飾ベルト部の長さを調節可能な長さ調節手段を備えることを特徴とする靴用アクセサリ。
【請求項３】
請求項１または請求項２のいずれかに記載する靴用アクセサリにおいて、前記孔部が前記装飾ベルト部の中間部に設けられることを特徴とする靴用アクセサリ。
【請求項４】
請求項２に記載する靴用ベルトにおいて、前記孔部が前記装飾ベルトの両端に設けられることを特徴とする靴用アクセサリ。
【請求項５】
請求項１乃至請求項４のいずれかに記載する靴用アクセサリにおいて、前記孔部が略環状の部材からなることを特徴とする靴用アクセサリ。
【請求項６】
請求項１乃至請求項５のいずれかに記載する靴用アクセサリにおいて、前記孔部が内径寸法を調節可能とする手段を備えることを特徴とする靴用アクセサリ。
【考案の詳細な説明】
【技術分野】
【０００１】
本考案は婦人靴に装飾を施すための靴用アクセサリ、特にストラップ状の靴用アクセサリに関する。
【背景技術】
【０００２】
従来、婦人靴用のアクセサリとしては、例えばリボンや花をかたどって作られ、足の甲の部分等において靴の縁に留めるように構成されたシューズクリップがある。また、靴にはじめから長尺状の飾り紐が固定されて、編み上げにできるものなどがある。
【０００３】
なお、出願人の知る限りにおいては、記載すべき先行技術文献情報は無い。
【考案の開示】
【考案が解決しようとする課題】
【０００４】
しかし、シューズクリップは靴と一緒に売られていることが多く、靴と全く別に売られている靴用アクセサリの種類は少ない。また、靴にはじめから固定される構成の飾り紐付き靴では、飾り紐をはずした状態で靴を着用することはできない。一方、例えばブラウス等の洋服における状況を考えると、洋服ではスカーフやブローチ等のアクセサリを使用することで、一枚のブラウスを異なるスカートやパンツ等のボトムに組み合わせていつもと違う印象で着ることができる、いわゆる「着回し」ができる。これに対し、靴においてはアクセサリの種類が少なく、一つの靴を着回しならぬ「履き回し」したいという女性達の要望が満たされていなかった。
【０００５】
そこで、この考案は、既存の靴に装飾性と、新鮮な印象を付加することができるようにするための靴用アクセサリを提供することを目的とする。
【課題を解決するための手段】
【０００６】
本考案に係る靴用アクセサリは、踵部分が靴底から突出するタイプの靴に着脱可能な靴用アクセサリにおいて、靴の踵部分を挿通させるための少なくとも１つの孔部と、孔部から延設され、着用者の足周りに装着される、装飾要素を有した装飾ベルト部とを備えることを特徴とする。
【０００７】
このような靴用アクセサリは、踵が突出したタイプの靴にならば靴のサイズ等を問わずどの靴にも使用でき、既存の靴にいつもとは違う新鮮な印象を与えることができる。また、靴の踵部分を足に対して固定することになるため、靴を脱げにくくしたり、踵の高い靴において、外反母趾の原因ともなる、足が靴の中で前に滑っていく現象を防ぐ効果もある。
【０００８】
ここで、装飾ベルト部は、長さ調節部材を設けたり、伸縮可能な素材から形成するなどして、長さ調節可能に形成することが好ましい。このような構成では、着用者を選ばず、誰が使用しても、足にぴったりと装着することができるため、たるんで着用中に外れたり、逆に、きつすぎて歩行に支障をきたしたりする虞がない。また、着脱も容易となる。
【０００９】
装飾ベルト部の長さを調節可能とした場合には、孔部が装飾ベルト部の両端に設けられることが望ましい。この構成では、着用時、孔部に靴の踵部分が挿通され、その間に設けられた装飾ベルト部は長さを調節されて足周りにぴったりとフィットしている。このため、着用中に孔部が下に滑り落ちて、アクセサリが外れる虞がなく、靴を脱げにくくする効果も一層高くなる。
【００１０】
孔部は、装飾ベルト部の中間部に設ける構成としてもよい。このようにしても、靴の踵部分を装飾ベルト部の中間部に設けられた孔部に挿通させて、孔部から両側に延びる装飾ベルト部を足の両側から巻きつけて着用することにより、既存の靴をいつもと違う新鮮な印象で履くことができる。また、装飾ベルト部の両端を孔部に連結させてアクセサリ全体が環状に形成させる構成とすれば、孔部を装飾ベルト部の両端に設けた場合と同様に、足にぴったりとフィットした状態で着用でき、着用中に外れる虞がない。
【００１１】
また、上述の靴用アクセサリにおいて、孔部を環状部材により形成すれば、市販の環状部材を利用して容易に靴用アクセサリを作ることができる。
【００１２】
また、孔部又は環状部材を、内径寸法を調節可能な構成とすれば、踵部分の太さが異なる靴に対応することができ、より多くの靴に対して使用することができる。
【考案を実施するための最良の形態】
【００１３】
以下に本考案の実施形態を図面に基づいて説明する。図１に示す靴用アクセサリ１は、孔部としてのリング部５，５と、リング部５，５を連結するように延設される装飾ベルト部３（以下「ベルト部３」と略することがある）から構成されている。
【００１４】
ベルト部３は、装飾性を有する、帯状または紐状の部材であり、実施形態の場合、人工皮革により形成されている。
【００１５】
リング部５，５は、ベルト部３の両端に取り付けられる環状の部材である。本実施形態では、メッキを施した樹脂製で、ベルト部３を各リング部５に通して折り返し、先端部をベルト部３の裏面に接着や縫合により結合させることにより、ベルト部３に取り付けられている。
【００１６】
ベルト部３の中間位置には、長さ調節部材１７が配設されている。長さ調節部材１７は、本実施形態では、金属製等の移動カン又はコキカンと呼ばれる部材から形成されており、ベルト部３を送って長さを調節可能な構成としている。
【００１７】
ベルト部３の長さは、長さ調節部材１７を調節して長さをいっぱいに伸ばした状態で、図例では約５２ｃｍ、幅は約３ｃｍとしている。各リング部５，５は、内径を約２．５ｃｍとしている。
【００１８】
この靴用アクセサリ１を使用する際には、着用前にベルト部３の長さを長めにしておき、図２に示すようにまずベルト部３の一端のリング部５に、靴の踵部分を挿通させ、ベルト部３を足の甲側に沿わせて足周りにくるっと一回りさせて再度反対側から足の甲側に沿わせて交差させ、ベルト部３の他端のリング部５に靴の踵部分を挿通させる。そして最後に、長さ調節部材１７によりベルト部１３の長さを足にぴったりと沿うように調節する。
【００１９】
このように、靴の踵部分を挿通させるリング部５と、リング部５から延設されて着用者の足周りに装着される装飾ベルト部３から構成される靴用アクセサリ１は、踵が突出したタイプの靴にならば、靴のサイズ等を問わずどの靴にも使用でき、既存の靴にいつもとは違う新鮮な印象を与えることができる。また、靴の踵部分を足に対して固定することになるため、靴を脱げにくくしたり、踵の高い靴において、外反母趾の原因ともなる、足が靴の中で前に滑っていく現象を防ぐ効果もある。
【００２０】
また、靴用アクセサリ１は、装飾ベルト部３がベルト長さを調節できる長さ調節部材１７を備えており、装着時にはベルト長さにゆとりを持たせて着脱を容易にし、その後、足にぴったりとフィットする長さに調節することができる。このような構成では、着用者を選ばず、誰が使用しても、足にぴったりと装着することができるため、たるんで着用中に外れたり、逆に、きつすぎて歩行に支障をきたしたりする虞がない。
【００２１】
なお、この実施形態に使用できる長さ調節部材は、ベルト部３の長さを調節できるものであれば、金属製、樹脂製等の角カン、Ｄカン等の部材に代えてもよいし、突起部を備えた美錠（バックル）を使用して、ベルト部３に設けた複数の長さ調節孔の一つに突起部を挿入して長さ調節できるようにしてもよい。
【００２２】
本実施形態では、装飾ベルト部３の長さを調節するために長さ調節部材１７を使用したが、ベルト部３の長さを調節するための手段はこれに限られない。例えば、装飾ベルト部３を、伸縮可能な素材から形成しても、引張りながら装着することで着脱を容易にし、足にぴったりとフィットさせることができる。ベルト部３に使用する伸縮性のある素材としては、伸縮可能な素材からなる基布にスパンコールが一面に取り付けられたスパンコールブレードや、同様に、伸縮性があるパールブレード、ラインストーンブレード、ストレッチレース等の装飾素材を適宜使用してよい。
【００２３】
ベルト部３の長さは、図例では、いっぱいに伸ばした状態で約５２ｃｍとしたが、ベルト部の長さはこれに限られるものではなく、ベルト部を足首に一回でなく数回巻いたり、足の甲の上で交差させずに巻いたり等、ベルト部の巻き方等によって、適宜設定することができる。また、ベルト部の幅寸法も、ベルト部の素材により、適宜変更可能である。
【００２４】
また、靴用アクセサリ１は、孔部としてのリング部５，５が装飾ベルト部３の両端に設けられる構成である。この構成では、着用時、リング部５，５に靴の踵部分が挿通されて、その間に設けられたベルト部３は長さ調節部材１７により足周りにぴったりとフィットする長さに調節されている。そのため、着用中にリング部５が下に滑り落ちて、アクセサリ１が外れる虞がなく、靴の脱げ防止の効果も一層高くなる。このため、いわゆるハイヒールや、動きの激しい社交ダンス等用のダンスシューズに好適である。
【００２５】
図３は本考案の別の実施形態の靴用アクセサリ３１を示す。アクセサリ３１は、リング部３５と、装飾ベルト部３３（以下「ベルト部３３」と略することがある）とから構成される。
【００２６】
この実施形態では、ベルト部３３は、例えばストレッチレースから形成されて、リング部３５から分岐するように両側に延設されている。靴の踵部分を挿通させるためのリング部３５は、一つのみ使用される点を除き、前述の靴用アクセサリ１に使用されるリング部５と同様の構成であるため説明を省略する。この靴用アクセサリ３１では、使用時、図４に示すように、リング部３５に靴の踵部分を挿通させて、ベルト部３３を足の両側から交差させるように巻きつけ、この動作を数度繰り返して最後に両方のベルト部３３を適宜の方法で結ぶ。図例では、編み上げ風の着用の仕方をされている。この実施形態では、ベルト部３３は伸縮性のあるストレッチレースを使用したが、伸縮性のないレースのリボン等の素材を装飾ベルト部として使用しても差し支えない。
【００２７】
図５はさらに別の実施形態の靴用アクセサリ５１を示す。アクセサリ５１は、リング部３５と、リング部３５から延設される装飾ベルト部５３（以下「ベルト部５３」と略することがある）とから構成される。この靴用アクセサリ５１は、ベルト部５３が、その両端部をリング部３５に連結されて、環状に形成されている点を除き、前述の靴用アクセサリ３１と構成を同じくするため、共通する部分についての説明は省略する。この靴用アクセサリ５１では、使用時、リング部３５に靴の踵部分を挿通させて、伸縮可能な素材からなる装飾ベルト部５３を引っ張りながら着用者の足周りに適宜の方法で巻きつけてフィットさせるように装着する。ベルト部５３は、本実施形態で使用されるストレッチレースの他、適宜伸縮性のある材料を使用するか、伸縮性のない材料で構成する場合には、上述の靴用アクセサリ１で使用したような長さ調整部材を使用することが望ましい。
【００２８】
靴用アクセサリ３１や５１のような構成であっても、踵部分が突出したタイプの靴であれば、靴のサイズ等を問わずどの靴にも使用でき、既存の靴にいつもとは違う新鮮な印象を与えることができる。また、靴用アクセサリ５１では、足にぴったりとフィットさせて着用でき、着用中に外れる虞がない。
【００２９】
本明細書で説明した靴用アクセサリ１，３１，５１では、靴の踵部分を挿通させる孔部として、環状のリング部材５が使用されている。この構成では、市販の例えば金属製、樹脂製等の環状部材と、適宜の装飾ベルト部用の材料を使用すれば、容易に靴用アクセサリ１，３１，５１を製造することができる。しかしながら、孔部としては、図例のようなリング部材５に限らず、靴の踵部分を挿通させることができれば、他の環状の部材や、完全に閉じた環状でなくとも、可撓性を有するワイヤや板バネを、略環状に成形した部材等を使用しても良い。環状の部材としては、上述したような、伸縮性のあるパールブレード等の部材を環状に形成したもの使用してもよい。さらに、孔部として別途部材を使用しなくとも、例えば、装飾ベルト部３の両端部を輪にして縫合し、靴の踵部分を挿通させるための孔部としてもよいし、装飾ベルト部３，３３，５３に孔を開けてかがる等の処理をし、孔部としてもよい。特に、孔部として、可撓性を有するワイヤ等からなる略環状の部材や、伸縮素材からなる環状部材を使用した場合、また伸縮素材からなる装飾ベルトの両端を輪にして孔部とした場合等には、孔部が靴の踵部分の太さ寸法に合わせて内径寸法を調節可能となるため、より多くの靴に対応可能となる。
【図面の簡単な説明】
【００３０】
【図１】靴用アクセサリの平面図である。
【図２】靴用アクセサリの着用方法を示す図である。
【図３】別の靴用アクセサリの平面図である。
【図４】別の靴用アクセサリの使用状態図である。
【図５】さらに別の靴用アクセサリの斜視図である。
【符号の説明】
【００３１】
１  ・・・    靴用アクセサリ
３  ・・・    装飾ベルト部
５  ・・・    リング部
１７・・・    長さ調節部材
【図１】
0003133652.tif 000003
【図２】
0003133652.tif 000004
【図３】
0003133652.tif 000005
【図４】
0003133652.tif 000006
【図５】
0003133652.tif 000007